(57)【特許請求の範囲】
【請求項１】
長手方向に切れ目のある保護管のための補助工具で、前記保護管の長手方向の縁を、切れ目にそって開き、再度それを互いに隣接して閉鎖する補助工具であり、前記補助工具は二つの部分体をもち、一つの長手方向側は蝶番と結合され、それらの間に、ケーブル、線などを案内するための空洞または空隙が形成され、前記部分体は蝶番に沿って開閉でき、前記部分体の外面に案内部品が備えられ、それとともに前記保護管の切れ目の長手方向の縁にそって前記補助工具が移動でき、前記案内部品（１３）は、前記蝶番（１０、１１）の反対側に在る自由な長手方向の縁（１２）上に設置され、前記部分体（９）の間の空洞は案内要素（１７、１８）を備え、前記部分体（９）の外面から見ると、前記案内要素（１７、１８）は、前記部分体（９）の端から、前記部分体（９）の外面上の前記案内部品（１３；１４、１５）と角度をもって延びて、前記部分体（９）の他の端で、前記案内部品（１３）の概略同一面上で終了し、前記案内部品または前記案内要素、あるいはその両方が、繋部（１４；１７、１８）により形成される、補助工具。
【請求項２】
前記部分体（９）の上面が、三角形または台形である、請求項１に記載の補助工具。
【請求項３】
前記部分体（９）の傾斜した端面にて、前記案内部品（１３；１４、１５）と前記案内要素（１７、１８）が、同一面上で終了する、請求項２に記載の補助工具。
【請求項４】
前記各案内部品（１３）の、少なくとも二つの繋部（１４）が、それぞれＵ型樋（１５）を形成するように設置される、請求項１から３のいずれかに記載の補助工具。
【請求項５】
前記案内部品（１３；１４、１５）が、前記部分体（９）の一端から他端にかけて延びている、請求項４に記載の補助工具。
【請求項６】
前記案内要素（１７、１８）が、前記保護管（１）の長手方向の縁（３）の間に挿入される閉鎖要素（４；４’、４’’）（縁かがり）を案内する空隙に形成される、請求項４または５に記載の補助工具。
【請求項７】
前記部分体（９）の内部に設けられる各繋部（１７）が、反対側の繋部（１７）の自由脚と、互いに接する高さである、請求項６に記載の補助工具。
【請求項８】
前記部分体（９）の内部に設けられる各繋部（１８）が、間隙（１９）が反対側の繋部（１８）との間に形成される高さである、請求項７に記載の補助工具。
【請求項９】
前記Ｕ型樋（１５）の底面が、波形突起（１６）を前記部分体（９）の外側に形成する、請求項８に記載の補助工具。
【請求項１０】
前記二つの部分体（９）をつなぐ前記蝶番が、フィルム蝶番（１１）として形成される、請求項１から９のいずれかに記載の補助工具。
【請求項１１】
前記蝶番が二重フィルム蝶番として形成される、請求項１０に記載の補助工具。
【発明の詳細な説明】
【技術分野】
【０００１】
本発明は、保護管のための補助工具に関する。
【背景技術】
【０００２】
保護管は実に多彩な分野で保護に用いられる。例えば、電気配線、気体配管、外部の影響を防ぐ管として用いられる。この種の保護管は、複数のケーブルやばらばらのワイヤを束ねることにも用いられる。通常プラスチック製の、このような保護管に、特に外部の影響に対する高い安定性を与え、同時に柔軟にするため、いわゆる波形管が形成される。前記の管の直径は範囲が広く、通常、数ｍｍから数十ｍｍ、あるいはそれ以上に及ぶ。
【０００３】
このような保護管に線を導入するためには、線を一端から引き込まなければならない。もし線を、このような保護管に長距離導入することになると、距離が長くなるほど線の引き込みは困難になる。そのため、引き込み補助具の使用が避けられない。最初に保護管に引き込み補助具を通し、次に末端で、引き込むケーブルや線を束ねながら、ケーブルや線を引き込み補助具と一緒に保護管の中を通すことができる。ケーブルが既に引き込まれている保護管に、他のケーブルを加えようとすると、引き込み補助具を使用しても、引き込み作業は、はるかに困難になる。ケーブルが既に敷設されている、例えばコンピューターワークステーションにおいて、後でケーブルを保護管にまとめて入れるのも、同じように困難である。このため、長手方向に切れ目のある保護管が提供されており、後でケーブルを入れるため、保護管を開くことができる。たいていの場合、切れ目に沿った切り口は鋭いため、切り口を素手で開くと、怪我をするおそれがある。切り口は緊張状態にあるため、保護管を縦の切れ目に沿って開くのは難しい。切れ目付き保護管の他の問題は、管を開いた後、両切り口がいつも正確に互いに面上にあるわけではない。例えば、一方の縦切り口が、他の縦切り口に載り上げることがある。その場合、管の直径が小さくなる。さらに、保護管が見える場所に使用されると、例えば、職場のパソコンの線を束ねると、見た目も悪い。
【０００４】
特許文献１は、単純な、軸方向の切れ目をもった波形管を記載している。波形管はプラスチック製で、ワイヤ、金属線などを収納し、切れ目が波形である。波形の切れ目により、ケーブルやワイヤが曲がっているとき、波形管内に保持しやすくなる。
【０００５】
長いプラスチックの、ケーブル用の保護管や保護ケースが、特許文献２に記載されている。この保護管では、自由な切れ目は重なっているので、保護管の切り口は隙間なく閉じている。
【０００６】
特許文献３は、自動車の電気ケーブルの保護鞘として、波形管を記載している。この波形管は、長手方向に貫通した切れ目と、それを閉じるための手段からなる。閉じる手段は、片方の切れ目の縁にある、留め金のような突起である。これは、他の切れ目の縁にある突起とぴったり合って結びつき、他の突起を挟んで落ち着く。切れ目に沿って管を閉じようとすると、突起を留めることが、不具合のある作業となる。
【０００７】
特許文献４には、長手方向の切れ目に沿って、舌片やつまみがついた、切れ目付波形管が記載されている。舌片やつまみは、波形管の他の長手方向の縁の下を移動するため、２つの長手方向の縁の位置と方向は、互いに固定される。この公報には、連続的あるいは一枚ずつの押し出し機による押し出し成形により、このような波形管を製造する方法が示されている。
【先行技術文献】
【特許文献】
【０００８】
【特許文献１】ドイツ実用新案公報２０ ２００４ ００９ ０４８号
【特許文献２】ドイツ実用新案公報２００ １３ ４８１号
【特許文献３】ドイツ特許公報１０ ２００４ ００５ ３１０号
【特許文献４】ドイツ特許公報６９６ ２２ ０４８号（欧州特許公報０ ８８３ ９２２の翻訳）
【発明の概要】
【発明が解決しようとする課題】
【０００９】
上述したように、ケーブルを挿入するため、切目付保護管を開くのは難しい。そのため、上述の特許文献２は、引込締具としての補助工具を提供する。引込締具は２つの部分からなり、それぞれは、締具台と締具本体からなる。これらは締具ばねで保持され、ケーブル案内筒が締具ばねの力に対抗して開くことができ、ケーブルをケーブル案内筒に挿入すると、締具ばねの力で再度閉じて、閉じたままになる。さらに、案内部品（ハウジングヘッド）が締具本体に隣接してあり、ケーブル保護ハウジングの２つの縁が、締め付け線に沿って延びていて、締め付け線は締具本体とハウジング案内ヘッドの間に両側に形成され、ハウジング案内ヘッドはケーブル保護ハウジングの中を通って延びていて、案内部品として働く。同時に、補助工具が切れ目に沿って移動すると、ケーブルは、ケーブル保護ハウジングの中に、ケーブル案内筒を通して、挿入される。ケーブル保護ハウジングは、引き込み締具の後ろで、再度閉じる。この引き込み締具を扱うのは難しく、いつも正確な案内が保証されるわけではない。引き込み締め具が切れ目から外れることもある。これは特に、ケーブル保護ハウジングに挿入するケーブルが太いときに起こる。さらに、このシステムには、ケーブル保護ハウジングの切れ目に沿った縁が、他の切れ目の上で閉じたまま停止するという問題がある。このとき、異なる直径のケーブル保護被覆が生じることがある。これはとりわけ柔軟な材料が使われたとき、ケーブル保護ハウジングの古さと、挿入ケーブルの多さにより変わる。
【００１０】
本発明の目的は、保護管用の補助工具を供給することである。保護管と補助工具を用いて、上述の従来技術の欠点を排除し、切れ目付保護管の縁を、特に、互いに安全に保持し、複雑な構造の手段を必要としないで、製造工程に関する限り、補助工具は保護管、特に波形管の取扱を容易にする。補助工具は移動可能な配置にて有用で、線、ケーブルその他は長大でも、設置場所で保護管内に容易に引き込むことができる。
【課題を解決するための手段】
【００１１】
この目的は、長手方向に切れ目をもつ保護管で達成される。閉塞要素があり、これは切れ目に沿った長手方向の縁を互いに平面上に維持する。閉塞要素は、分離した側面部品からなり、断面は、中央繋部が管の長手方向の縁の間に挿入される。管の上側は、側面部品で長手方向縁に沿って覆われ、管内部は、側面部品で支持される。
【００１２】
さらに、本発明の目的は補助工具で達せられる。補助工具は、保護管の長手方向の切れ目に合致し、保護管の長手方向の縁を切れ目に沿って広げ、それを受け台で再び互いに閉じる。補助工具は２つの部分体からなり、一方の長手方向側は蝶番に結合し、２つの部分体の間にはケーブル、線などを案内する空隙あるいは空間がある。部分体は蝶番で開閉でき、部分体の外面に案内部品がある。案内部品とともに、補助工具は移動し、保護管の切れ目の長手方向の縁に沿って案内される。案内部品は、蝶番と反対側の自由な長手方向の縁にあり、部分体の間の空隙領域に案内要素が設けられる。部分体の外側から垂直に見たとき、部分体の一端から外側に、案内部品に傾いて突き出ている。そして、部分体の他の端で、おおよそ案内部品の面で終わる。
【００１３】
結局、本発明は、保護管と側面部品と補助工具の組み合わせで理解される。
【００１４】
さらに、本発明の目的は、保護管供給機構、補助工具の配置により実現される。補助工具は作業台に固定され、案内要素は作業台に設けられ、保護管を補助工具に向けて、あるいは離すように移動させる。供給ユニットが補助工具の入口側に、保護管、保護管に導入するケーブル、線などのため、および、側面部品のためにある。
【００１５】
保護管は、切れ目に沿って管の長手方向の縁の間に挿入された側面部品に、切れ目に沿って閉じられることが必須である。側面部品は、長手方向の縁が、互いに方向をそろえて固定される。このような側面部品は長手方向に切れ目のある、異なる直径の保護管に使用できる。このような側面部品は、それぞれ必要な長さに切断される、終わりのない保護管に使用される。
【００１６】
閉鎖要素または側面部品の構成は、断面を見ると、二重の「Ｕ」あるいは二重の「Ｔ」の形状をしている。外形の中央繋部は長手方向の縁をつなぐ繋部となり、管の上側部は長手方向の縁に沿って個々の外形の表面要素に覆われる。管の内部は長手方向の縁に沿って、対応する外形表面要素に支持される。さらに、閉鎖要素または側面部品は、断面を見ると、繋部で繋がれた２つの丸い部品で構成される。外形の繋部は保護管の長手方向の縁の間の繋部になる。管の長手方向の縁に沿った上側は、外形のひとつの円柱に覆われ、長手方向の縁に沿った管の内部は、他の外形の円柱により支持される。このような側面部品は保護管、特に波形管の長手方向の切れ目について使用することに合致する。
【００１７】
複数の応用に用いる側面部品を構成するため、特に、異なる直径の保護管に用いるため、保護管の内部に隣接する側面部品の自由脚は、側面部品または閉鎖要素の断面が二重の「Ｕ」または二重の「Ｔ」であるとき、保護管内部の曲率半径より小さい曲率半径をもつ必要がある。対照的に、保護管の外側に載る側面部品の自由脚は、直線的な表面部材で構成できる。保護管の外側に載る自由脚を、事実上水平に支持するため、側面部品の自由脚は保護管の外側の曲率半径とほぼ等しい曲率半径の曲面をもつ。言うまでもなく、保護管の外側領域に位置する側面部品の自由脚は、保護管の外側の曲面に合うため、外側に載ることができる。
【００１８】
閉鎖要素は保護管と色調の合った着色プラスチック材料からなる。そのため閉鎖要素は目立たないように保護管と一体化する。しかし保護管の色調変化に対応するため、無色で柔軟なプラスチック材料が好ましい。そうすれば保護管の色調が側面要素の一部を通して見え、側面要素は保護管の色調にいわば合致する。側面要素を柔軟にして、保護管の長手方向の縁の間の切れ目に容易に合うようにするため、閉鎖要素はポリウレタン（ＰＵ）、ポリプロピレン（ＰＰ）、ポリアミド（ＰＡ）、ポリエチレン（ＰＥ）、あるいはポリ塩化ビニル（ＰＶＣ）で作られる。
【００１９】
前述の補助工具は次の構造を有する。一方で、前記の側面要素が、切れ目付保護管の長手方向の縁の間に挿入でき、他方で、ケーブル、線などが同時に保護管に挿入できる。保護管の長手方向の切れ目の縁に沿って移動中に安全に補助工具を案内する、部分体の外側に在る案内部品は、前記の道具において必須の重要性がある。同時に、部分体の間の空洞領域にある案内要素は、結合要素あるいは側面部品を、保護管の長手方向の縁の間に案内し、そこに正確に挿入する。最後に、空洞は、ケーブルを保護管内部に、同じ操作で導入するのに用いられる。操作中、側面要素は長手方向の切れ目に挿入される。
【００２０】
上から見ると、部分体は三角形あるいは台形である。傾斜端は、補助工具が、保護管の長手方向の縁の間を入る、あるいは、通る領域である。反対側は、ケーブルと側面部品を、互いに分離して供給する十分な余地を与える。
【００２１】
部分体の傾斜端では、案内部品と案内要素が同じ平面上で終了する。
【００２２】
好ましくは、案内部品と案内要素は繋部で形成される。
【００２３】
各案内部品の少なくとも２個の繋部は、Ｕ型の樋を形成するように配置される。
【００２４】
保護管の縁を補助工具全体に案内するため、案内部品は、部分体の一端から他端まで伸びている。
【００２５】
空洞領域の案内要素は、閉鎖要素（縁かがり）を、保護管の長手方向の縁の間に挿入するように案内すべく、形成される。つまり、案内要素は閉鎖要素の外形に合致する。
【００２６】
２個の部分体間距離を適切に確保するため、各繋部は各部分体の内部に配置される。各繋部の高さは、相対する繋部の自由端が接する高さである。
【００２７】
さらに、各部分体内部に配置された繋部の高さは、相対する繋部の間に空間が形成される高さである。対応する閉鎖要素あるいは側面部品は、２つの繋部間を通して空間に挿入される。
【００２８】
補助工具と保護管の長手方向の縁の間の摩擦を小さく保つため、Ｕ型樋の底面には、部分体の外側の波形の突起があり、部分体には保護管の長手方向の縁が延びている。
【００２９】
２つの部分体をつなぐ蝶番は、補助工具がプラスチック製のとき、好ましくは、フィルム蝶番で形成される。蝶番にそって２つの部分体は開くことができ、例えば、ケーブルやケーブル束を、保護管に導入するため、空洞に挿入することができる。
【００３０】
蝶番は、二枚のフィルム蝶番として形成される。
【００３１】
補助工具、保護管、保護管と同じ長さの側面部品が、販売単位として梱包される。さらに、補助工具を扱うための取扱説明書が添付される。
【００３２】
長い線やケーブルを保護管に納める要求がしばしばある。線やケーブルを挿入するため、上述の、保護管供給機構と補助工具の配置が同時に使用される。配置は、補助工具が固定される作業台あるいは似た支持機構を含む。案内部品が作業台に配置され、保護管を補助工具に向かって、および離れるように移動させる。さらに、供給設備が補助工具の入口側に備えられる。保護管には、ケーブルや線などと側面部品が導入される。必要な長さの線やケーブルが保護管に導入され、保護管が側面部品で閉鎖された後、所望の長さに保護管が切断され、次の保護管が作られる。保護管の長さを決定するため、計測機構が備えられることもある。
【００３３】
供給機構は、ケーブルや線などが、保護管の上部から供給され、側面部品がケーブルや線などの上部から供給されるように、配置される。
【００３４】
供給機構は供給輪からなる。
【００３５】
所望の保護管を設置作業に準備するため、ケーブルや線などを導入した保護管の巻き取り輪が、作業台の出口側に設けられ、保護管は所望の状態で巻き取り輪に巻き取られる。
【００３６】
供給装置と供給輪は棚に保持される。
【００３７】
長手方向の保護管切れ目が挿入され、ケーブルや線の挿入後、閉鎖要素により閉鎖されることが必須である。最初の材料として、切れ目なしの保護管を使用できるように、切れ目を入れる道具が補助工具の入口側に設けられ、補助工具に供給する前に、切れ目なしの保護管に長手方向の切れ目を入れる。固定刃が、切れ目を入れる道具として用いられる。刃は、補助工具が載せられる作業台に固定される。
【００３８】
本発明のさらに詳細と特徴は図を参照した以下の記述により明らかになる。
【発明の効果】
【００３９】
本発明の目的は、保護管用の補助工具を供給することである。この保護管と補助工具を用いて、上述の従来技術の欠点を排除し、切れ目付保護管の縁を、特に、互いに安全に保持し、複雑な構造の手段を必要としないで、製造工程に関する限り、補助工具は保護管、特に波形管の取扱を容易にする。補助工具は移動可能な配置にて有用で、線、ケーブルその他は長大でも、設置場所で保護管内に容易に引き込むことができる。
【図面の簡単な説明】
【００４０】
【図１】長手方向に切れ目のある波形管の断面の立体図である。補助工具により、側面部品が長手方向の切れ目に挿入過程にある。
【図２】図１と同じ図であるが、補助工具の他の側から見た図である。
【図３】図３Ａは導入側から見た補助工具の立体図である。図３Ｂも導入側から見た補助工具の立体図である。
【図４】図１、２、３Ａに示す補助工具であるが、外側から見た展開状態の立体図である。
【図５】図５Ａは図３Ｂに示す補助工具であるが、外側から見た展開状態の立体図である。図５Ｂは図３Ｂに示す補助工具であり、図５Ａに示す展開状態であるが、内側から見た図である。
【図６】Ａ、Ｂ、Ｃの異なる３種の側面部品を示し、保護管の閉鎖に使用される。側面部品Ａは図１、２に示されたものである。
【図７】ケーブル、線などを保護管に半自動式で引き込む配置の模式的側面図である。拡大詳細図Ａは切れ目のない保護管に切れ目を入れる配置を示す。
【発明を実施するための形態】
【００４１】
図１、２に示す保護管１は、標準的なプラスチック製波形管であるが、長手方向に切れ目がある。切れ目２の領域には、２つの対向した長手方向の縁３があり、互いに事実上の同一面である。２つの長手方向の縁３を平面上に固定し、切れ目２に沿って保護管１を再度閉鎖するため、閉鎖要素４あるいは側面部品が切れ目２に挿入される。断面を見ると、特に図２の閉鎖要素４と、図５Ａの側面部品の説明図で分かるように、側面部品はいわゆる二重Ｔ形あるいは二重Ｕ形をしており、中央繋部５と２つの上部表面要素６と、２つの下部表面要素７が、概略正しい角度で延びている。閉鎖要素４の中央繋部５は、保護管１の２つの長手方向の縁３の間にあり、２つの上部表面要素６は、長手方向の縁３に沿って保護管１の上部縁部分を覆っており、下部表面要素７は、長手方向の縁３に沿って、保護管１の領域を支持する。保護管の２つの長手方向の縁３は、閉鎖要素４が切れ目２に挿入されても、それぞれの位置に固定される。
【００４２】
図２の閉鎖要素４の断面から分かるように、２つの下部表面要素７は、断面が少し曲がっており、２つの下部表面要素７の曲率半径は、保護管１の内面の曲率半径より小さい。そのため、上部表面要素６、下部表面要素７と中央繋部５との間の溝幅は、保護管１の切れ目２の領域では、壁厚より大きい。その結果、閉鎖要素４は切れ目に、保護管１の長手方向の縁３に押しつぶされることなく、挿入できる。
【００４３】
好ましくは、側面部品は柔らかくて、実質的に柔軟な材料でできているので、閉鎖要素４は保護管１の長手方向の縁３に適合できる。好ましくは、閉鎖要素４はポリプロピレン（ＰＰ）製である。閉鎖要素４は着色してもよい。そうすればその色は保護管１の色と適合する。しかし閉鎖要素４を無色でやや透明な材料で作ることもできる。その場合は、保護管１の基礎色調が閉鎖要素４を通して見えるので、あまり目立たない。
【００４４】
閉鎖要素４を切れ目２に挿入する動作は難しい。というのは保護管あるいは波形管１は通常堅い材料でできていて、波形にすることで、管を曲げられるようにして、柔軟にしている。さらに管１の縁は鋭い縁であるため、閉鎖要素４を道具の助けを借りずに切れ目２に挿入すると、怪我をするおそれがある。そのため、図１、２に示す補助工具８が使用される。これは、拡大図３Ａ、上側からの展開図４に示される。
【００４５】
補助工具８は２つの部分体９からなり、これらは上部接続部１０により接続される。補助工具８の２つの部分体９はプラスチック製で、フィルム蝶番１１により左右が接続されている。このため２つの部分体９は、プラスチックの射出成形で図４の位置に作られ、そこから図３Ａの位置に回転できる。
【００４６】
上述のように、図４に示すとおり、２つの部分体９は概略三角形である。各部分体９の下側縁１２に沿って案内部品が設けられ（符号１３）、２本の繋部１４が間隔をおいて平行に設けられる。溝１５が２本の繋部１４の間に形成される。溝１５は図１、２のように、保護管１の長手方向縁が案内できる寸法に作られる。案内部品１３と繋部１４の前面と後面は保護管１の長手方向縁３が導入しやすいように傾斜をつける。溝１５の底面は突起１６が波形に延びるように形成される。これは保護管１の長手方向縁３と溝１５の底面との摩擦を減らす。
【００４７】
部分体９の内部には、第一繋部１７と第二繋部１８が上部領域に設けられ、互いに対向している。部分体９の基礎部分から始まり、繋部１７は、互いに接する長さあるいは高さである。対照的に、２つの第二繋部１８は間隙１９が間に残るような高さである。さらに、２つの後端断面は内側に湾曲し、補助工具の分割線２１に沿って、端が互いに出会う。２つの後端断面２０は互いに端で接するが、部分体９の周辺部は、各々の案内部品１３は外側に配置されるが、内部に隙間をあけて配置される。隙間の間隔は、上部領域の、２つの第一繋部１７で決まる間隔と同じである。図３Ａのように、第一繋部１７と第二繋部１８は、前端２３から後端２２まで延びている。また、図１、２に明確に見られるように、曲線形で延びている。
【００４８】
第二の繋部１８の下に、空洞あるいは拡大領域２４が設けられる。拡大領域２４は各部分体９上の２つの胴２５で形成される。拡大領域２４は、波形管１に補助工具８を通して引き込まれるケーブル、ワイヤ、線の入口あるいは漏斗形入口を与える。平面図では、拡大領域２４は長方形であるが、これは補助工具８を用いるときの線束の断面により、円形あるいは楕円形になる。
【００４９】
図１、２に示すように、補助工具８は波形管１を切れ目２に沿って開き、ケーブル束を保護管１に導入し、前記切れ目２を、続く段階で、閉鎖要素４を用いて再度閉鎖する。以上は既に説明した。この目的のため、補助工具は前端２３から、つまりその場所で２つの傾斜した後端断面２０でもって、保護管１の切れ目２に挿入される。後端断面２０がくさび形に広がっているので、保護管１の長手方向の縁３は、切れ目２に沿って押し開かれ、繋部１４の間の溝１５に導入され、管１は長手方向の縁３と共に波形突起１６上を滑る。補助工具８が保護管１の切れ目２に、案内部品１３が保護管１の長手方向の縁３に保持されるように、挿入された後、閉鎖要素４の中央繋部５が、第二の繋部１８の間の間隙１９を進むように、閉鎖要素４が、第一の繋部１７の下にある第二の繋部１８の間に導入される。閉鎖要素４はさらに補助工具８の中に移動し、繋部１７、１８に案内されて、後端２２に達する。後端２２にて、繋部１７、１８は、外部案内部品１３のほぼ平面上に延び、閉鎖要素４は保護管の長手方向の縁３の間の切れ目２に導入される。保護管１、補助工具８、閉鎖要素４の動作位置は図１、２に示される。保護管に導入されるケーブル（詳細は示していない）は、拡大された領域２４に束で、あるいは、個別に挿入され、特定の距離を保護管１内で進む。補助工具８は、図１、２の方向を示す矢印のように、保護管１に沿って切れ目２に引き込まれる。この過程で、ケーブルの束は一端から拡大領域２４に入り、閉鎖要素４は保護管１の切れ目２に、補助工具８のうしろで、他の端から挿入される。保護管１の端で、補助工具８は切れ目２から引き上げられ、閉鎖要素４は保護管１の長さに合わせて切断される。
【００５０】
補助工具８の、切れ目２に沿った引き込みを容易にするため、二個の握り２７が前端２３に設けられ、握りは部分体９の端に外側から垂直に突出し、出っ張り２５の外側下方に延びている。
【００５１】
補助工具８は、ケーブル束を拡大領域２４に挿入するため、二個の部分体９が接続部１０上のフィルム蝶番１１で折りたたまれるように、扱われる。
【００５２】
図４のように、補助工具８は単純な射出成形でできるプラスチック製であって安価な補助工具である。このため、組み合わせは安価に市販できる。組み合わせは、長い保護管１、対応する長さの閉鎖要素４、補助工具８、補助工具８を扱う取扱説明書である。
【００５３】
案内部品１３が設置される下側の縁に沿って、補助工具８は、概略、長さが８０ｍｍから１００ｍｍであり、前端２３の高さが約５０ｍｍであり、拡大領域２４の開口幅が約２０ｍｍである。溝１５の幅は約２ｍｍから４ｍｍで、いずれにしても、溝１５は、保護管１（または波形管）の壁の厚さを納める幅が必要である。補助工具８は、無理やり割り込むようなことはなく、ここで使用される。繋部１４は、保護管１の長手方向の縁３が溝１５に安全に案内されるような高さが必要である。
【００５４】
図３Ｂ、５Ａ、５Ｂは、補助工具（符号８’）の他の実施形態である。
【００５５】
補助工具８は、図３Ａに示すように、正方形あるいは長方形の断面の拡大領域２４を有するが、図３Ｂの実施形態の拡大領域２４では、補助工具８’は、断面の分割線２１に垂直方向の最大幅を有する長円形である。この断面によれば、何本もの線を並べて補助工具８’に導入することができる。
【００５６】
さらに、補助工具８’では第二の繋部１８だけがある。図３Ａの補助工具８の第一の繋部１７は、この実施形態では無い。第二の繋部１８は、間隙１９が、閉鎖要素４の中央繋部５を間隙の中で案内するように、形成される。
【００５７】
二つの繋部１８を、一様な間隙１９が端で形成されるように維持するため、スペーサ３０、３１が、部分体９の内面に、図５Ｂで示すように、設けられる。この型の二つの各々のスペーサは、各部分体９上の、第二の繋部１８と各々のフィルム蝶番１１の間に設けられ、二つの部分体９が、フィルム蝶番１１の回りに回転させられたとき、スペーサ３０の端面が互いに接する。二つのスペーサ３１は、第二の繋部の外側にある部分体９の表面に設けられ、一方に凸部３２が、他方に穴３３があり、凸部３２が穴３３にはまりこむことにより、二つの部分体９の中心が合う。
【００５８】
さらに、補助工具８’において、案内部品１３は、部分体９の前端２３から始まり、後端２２に至る。従って、部分体の総長さは、溝１５内の保護管１の長手方向の縁３を案内するのに利用される。保護管の切れ目を十分拡大して開くため、拡大領域２４の全断面幅は、保護管にケーブルや線を導入するのに使用され、案内部品１３は、初めは斜め外側に広がるが、後端２２に向かって互いの距離を縮める。二つの溝１５の最大距離は、溝１５の長さの１／３である。
【００５９】
閉鎖要素あるいは側面部品４は、保護管１の切れ目の中で、上部表面要素６と下部表面要素７が損傷を受けずに保持される形状である。実用上、閉鎖要素４は、保護管１が軸の周りに回転しても、小半径に曲げられても、切れ目２内に安全に保持される。さらに、閉鎖要素４は切れ目２からいつでも取り去れるし、再度補助工具８を用いて、保護管１の切れ目２に挿入できる。
【００６０】
図６は３つの異なる側面部品４、４’、４’’の、３つの異なる外観Ａ、Ｂ、Ｃを示し、外観Ａの側面部品４は、図１、２に見られるものである。
【００６１】
外観Ｂの側面部品４’は、図６外観Ａの、側面部品４の上部表面要素６と下部表面要素７の代わりに、上部円柱２８と下部円柱２９を示す。円柱２８、２９は、保護管１の上側と下側を、長手方向の縁３に沿って、切れ目２の中で結合し、切れ目２を閉鎖する。上部円柱２８の厚さに応じて、補助工具８の部分体９の内部にある繋部１７、１８を変更して、側面部品４’が補助工具８内で、容易に滑るようにする。
【００６２】
外観Ｃの側面部品４’は、断面形状が、外観Ａの側面部品４に似ているが、上部表面要素６’（自由脚）が弓形で、上部表面要素６’は保護管の外周の曲面に合う。しかし、この種の側面部品４’’では、繋部５の高さが保護管の壁厚さが、保護管の壁厚に適合しなければならない。一方、外観Ａの実施例では、保護管の壁厚に許容がある。
【００６３】
側面部品４は、図６外観Ａのように、上部表面要素６の幅が約４ｍｍ〜１０ｍｍであり、繋部の高さは、保護管１の壁厚に依存して、２ｍｍ〜７ｍｍである。
【００６４】
図６外観Ｂに示す、側面部品４’の円柱２８、２９は、直径３ｍｍ〜６ｍｍである。図５Ａ、５Ｂに示すように、側面部品の形状は結合できる。例えば、図６外観Ｂに示すように、円柱２９は、図６外観Ａの側面部品４の下部表面要素７の代わりに使用できる。
【００６５】
側面部品４’、４’’の寸法は、上記のように側面部品４とほぼ同じである。
【００６６】
図７は、ケーブル、線などを保護管に半自動で引き込む配置である。この配置は、補助工具８または８’を、前述のように用いる。しかし、補助工具は、机３５の一部である作業台３４の上に固定されている。補助工具８または８’は、直接、作業台３４に設置されているのではなく、Ｕ型樋を形成する案内要素３７上の、横締め具３６により保持される。保護管１は供給輪３８に蓄えられ、Ｕ型樋に入口から供給される。保護管１は、次に補助工具８下に、切れ目２に沿って伸ばされ、供給輪４１に蓄えられたケーブルや線４０は、補助工具８の拡張領域を通って供給される。ケーブルや線４０の上方には、供給輪４２に蓄えられた閉鎖要素／側面部品４が、保護管１の長手方向の縁３の間に、切れ目２を閉鎖するように、供給される。ケーブルや線が引き込まれて、閉鎖要素４で閉鎖される、特注の保護管１が、取り出し輪４３に巻き取られる、あるいは、直接そのまま敷設される。案内要素３７は、作業台３４の始まりと終わりで、覆い要素３９で覆われる。保護管１は補助工具８の前後で、安全に案内される。供給輪３８、４１、４２は、作業台３４の入口側の棚４５の上に保持され、付加案内輪４４で案内されることも可能である。取り出し輪４３は、適当な棚４６に保持されることができる。
【００６７】
切れ目付保護管１は保護管として用いられる。これは供給輪３８に蓄えられ、図１〜６に関して説明したとおりである。しかし、切れ目なし保護管１’を供給輪３８に蓄えることもできる。保護管１’は補助工具８に通す前に、例えば、図７の拡大図Ａに示すように、縦方向の固定刃４７により、切れ目を入れる。このような刃４７は図７の配置では、覆い要素３９の領域で、案内要素３７の前に設置される。
【００６８】
図７に示すように、この配置は移動性と小型性に特徴がある。そのため、これは挿入場所に容易に設置できる。さらに別の輪が、例えば、保護管１に導入される他のケーブルや線のため、棚４５上に設置できるのは明らかである。さらに、棚４５、４６は図の形状に限定されない。
【産業上の利用可能性】
【００６９】
本発明の目的は、保護管用の補助工具を供給することである。この保護管と補助工具を用いて、上述の従来技術の欠点を排除し、切れ目付保護管の縁を、特に、互いに安全に保持し、複雑な構造の手段を必要としないで、製造工程に関する限り、補助工具は保護管、特に波形管の取扱を容易にする。補助工具は移動可能な配置にて有用で、線、ケーブルその他は長大でも、設置場所で保護管内に容易に引き込むことができる。
【符号の説明】
【００７０】
１ 保護管、波形管
２ 切れ目
３ 長手方向の縁
４ 閉鎖要素、側面部品
５ 中央繋部
６ 上部表面要素
７ 下部表面要素
８ 補助工具
９ 部分体
１０ 上部接続部
１１ フィルム蝶番
１２ 下側縁
１３ 案内部品
１４ 繋部
１５ 溝
１６ 突起
１７ 第一繋部
１８ 第二繋部
１９ 間隙
２０ 後端断面
２１ 分割線
２２ 後端
２３ 前端
２４ 拡大領域
２５ 胴
２８ 上部円柱
２９ 下部円柱
３０ スペーサ
３２ 凸部
３３ 穴
３４ 作業台
３５ 机
３６ 横締め具
３７ 案内要素
３８ 供給輪
３９ 覆い要素
４０ 線
４１ 供給輪
４２ 供給輪
４３ 取り出し輪
４４ 付加案内輪
４５ 棚
４６ 棚
４７ 固定刃 
【図１】
0005619850.tif 000002
【図２】
0005619850.tif 000003
【図３】
0005619850.tif 000004
【図４】
0005619850.tif 000005
【図５】
0005619850.tif 000006
【図６】
0005619850.tif 000007
【図７】
0005619850.tif 000008